(57)【特許請求の範囲】
【請求項１】
設置面に反射板が取付けられている照明器具をリニューアルするための照明器具のリニューアルキットであって、
リニューアル後の照明灯を点灯させるための駆動回路と、
前記駆動回路が載置され、リニューアル対象の照明器具が備える反射板の室外側に取付けられる第１の部材と、
前記リニューアル後の照明灯を取付けるソケットを有し、前記リニューアル対象の照明器具が備える反射板の室内側に取付けられる第２の部材と、
前記ソケットを室内側に露出させて前記第２の部材に取付けられるリニューアル用の反射板と、
を備え、前記リニューアル対象の照明器具が備える反射板によって前記設置面に固定されることを特徴とするリニューアルキット。
【請求項２】
前記第１の部材と前記第２の部材とは、前記反射板を挟んで互いに連結されることにより前記反射板に取付けられる、
ことを特徴とする請求項１に記載のリニューアルキット。
【請求項３】
前記駆動回路は、インバータ式である、
ことを特徴とする請求項１又は２に記載のリニューアルキット。
【請求項４】
設置面に取付けられた照明器具の既設の反射板と、
リニューアル後の照明灯を点灯させるための駆動回路と、
前記駆動回路が載置され、前記既設の反射板の室外側に取付けられた第１の部材と、
前記照明灯を取付けるソケットを有し、前記既設の反射板の室内側に取付けられた第２の部材と、
前記ソケットを室内側に露出させて前記第２の部材に取付けられた新たな反射板と、
を備えることを特徴とする照明器具。
【請求項５】
設置面に反射板が取付けられている照明器具をリニューアルする照明器具のリニューアル方法であって、
前記設置面から前記反射板を取り外す工程と、
取り外した前記反射板の室外側に、リニューアル後の照明灯を点灯させるための駆動回路が載置された第１の部材を取付け、前記反射板の室内側に、前記照明灯を取付けるソケットを含む第２の部材を取付ける工程と、
壁面又は天井面に前記反射板を再び取付ける工程と、
前記第２の部材にリニューアル用の反射板を取付ける工程と、
を備えることを特徴とする照明器具のリニューアル方法。
【発明の詳細な説明】
【技術分野】
【０００１】
本発明は、照明器具のリニューアルキット、照明器具、及び、照明器具のリニューアル方法に関する。
【背景技術】
【０００２】
照明器具として、天井や側壁などの設置面に反射板が取付けられ、反射板の裏面に設けられた駆動回路によって、反射板に取付けられた蛍光ランプが点灯されるものが知られている。こうした照明器具の寿命が来た部品を変更したり、照明器具の駆動回路を例えばインバータ式などの省エネルギーなものに変更するために、照明器具をリニューアルする場合がある。
【０００３】
照明器具のリニューアル方法として、天井面に埋め込まれた反射板を外し、室内側に開口する箱状の収納ケースを反射板があった天井面に取付け、駆動回路などを含む新しい照明器具を収納ケース内に収納して既存の吊りボルトで固定する方法がある（例えば、特許文献１参照）。この方法では、既存の吊りボルトを有効に利用して照明器具をリニューアルすることができる。また、照明器具のリニューアル方法として、天井面に埋め込まれた反射板を外し、反射板があった天井面に新しい駆動回路を固定し、既存の反射板にソケットなどを取付けて再び既存の反射板を天井面に取付ける方法がある（例えば、特許文献２参照）。この方法では、既存の照明器具の部品を利用して廃棄部品を少なくし、効率よく照明器具をリニューアルすることができる。
【先行技術文献】
【特許文献】
【０００４】
【特許文献１】実用新案登録第３１５２９８９号公報
【特許文献２】特開２００９−１２３６８６号公報
【発明の概要】
【発明が解決しようとする課題】
【０００５】
特許文献１に記載の照明器具のリニューアル方法では、天井面に取付ける収納ケースや照明器具を、既設の照明器具の形状などの規格に合わせる必要がある。また、特許文献２に記載の照明器具のリニューアル方法では、既設の反射板を利用するため、既設の照明器具の規格に拘らず照明器具をリニューアルできるものの、新たに取付けられる蛍光ランプは、既設の反射板を利用して室内を照らすため、既設の照明器具と同様の数や種類の蛍光ランプを用いる必要がある。例えば、２本の蛍光ランプが取付けられる照明器具を、特許文献２に記載の照明器具のリニューアル方法を用いて１本の蛍光ランプが取付けられるようにリニューアルした場合、既設の反射板は、蛍光ランプが２本取付けられたときに効率よく室内を照らすように設計されているから、リニューアルされて１本の蛍光ランプが取付けられたときに、室内を効率よく照らすことができないおそれがある。
【０００６】
本発明は、こうした背景に鑑みて成されたものであり、既設の照明器具の規格に拘らずに照明器具をリニューアルすることができ且つリニューアルして取付ける照明灯を変更できる照明器具のリニューアルキット、照明器具、及び、照明器具のリニューアル方法を提案することを目的とする。
【課題を解決するための手段】
【０００７】
上記課題を解決するため、本発明の第１の観点に係る照明器具のリニューアルキットは、
設置面に反射板が取付けられている照明器具をリニューアルするための照明器具のリニューアルキットであって、
リニューアル後の照明灯を点灯させるための駆動回路と、
前記駆動回路が載置され、リニューアル対象の照明器具が備える反射板の室外側に取付けられる第１の部材と、
前記リニューアル後の照明灯を取付けるソケットを有し、前記リニューアル対象の照明器具が備える反射板の室内側に取付けられる第２の部材と、
前記ソケットを室内側に露出させて前記第２の部材に取付けられるリニューアル用の反射板と、
を備え、前記リニューアル対象の照明器具が備える反射板によって前記設置面に固定されることを特徴とする。
【０００８】
本発明の第２の観点に係る照明器具は、
設置面に取付けられた照明器具の既設の反射板と、
リニューアル後の照明灯を点灯させるための駆動回路と、
前記駆動回路が載置され、前記既設の反射板の室外側に取付けられた第１の部材と、
前記照明灯を取付けるソケットを有し、前記既設の反射板の室内側に取付けられた第２の部材と、
前記ソケットを室内側に露出させて前記第２の部材に取付けられた新たな反射板と、
を備えることを特徴とする。
【０００９】
本発明の第３の観点に係る照明器具のリニューアル方法は、
設置面に反射板が取付けられている照明器具をリニューアルする照明器具のリニューアル方法であって、
前記設置面から前記反射板を取り外す工程と、
取り外した前記反射板の室外側に、リニューアル後の照明灯を点灯させるための駆動回路が載置された第１の部材を取付け、前記反射板の室内側に、前記照明灯を取付けるソケットを含む第２の部材を取付ける工程と、
壁面又は天井面に前記反射板を再び取付ける工程と、
前記第２の部材にリニューアル用の反射板を取付ける工程と、
を備えることを特徴とする。
【発明の効果】
【００１０】
本発明によれば、既設の照明器具の規格に拘らずに照明器具をリニューアルすることができ、且つ、リニューアルして取付ける照明灯を選択することができる。
【図面の簡単な説明】
【００１１】
【図１】本発明の一実施形態に係る照明器具を室内から見た様子の一例を示す斜視図である。
【図２】照明器具を図１中ＩＩ−ＩＩ方向から見た様子を示す図である。
【図３】照明器具を構成要素毎に示す分解図である。
【図４】リニューアル前の照明器具の様子の一例を示す模式図である。
【図５】設置面から反射板を取り外した際の様子の一例を示す説明図である。
【図６】反射板に外側部材と内側部材とを取付ける際の様子の一例を示す説明図である。
【図７】照明器具を設置面に取付けてリニューアルする際の様子の一例を示す説明図である。
【図８】リニューアルキットの構成要素の複数の形態の例を示す図である。
【発明を実施するための形態】
【００１２】
以下、本発明を実施するための最良の形態を、図面を参照しながら説明する。
【００１３】
図１は、本発明の一実施形態に係る照明器具２０を室内側から見た様子を示す斜視図であり、図２は、照明器具２０を図１中のＩＩ−ＩＩ方向から見た様子を示す図であり、図３は、照明器具２０を構成要素毎に示す分解図であり、図４は、リニューアル前の（既設の）照明器具１０の様子の一例を示す図である。
【００１４】
本実施形態の照明器具２０は、図１に示すように壁や天井などの設置面Ｃに直に固定され、一本の直管型の蛍光ランプＬを点灯させることによって室内を照らす。この照明器具２０は、図４に示す既設の照明器具１０をリニューアルして構成されている。以下、まず、リニューアル後の照明器具２０について説明し、その後、リニューアルの基となった照明器具１０や、照明器具１０から照明器具２０へのリニューアル方法について説明する。
【００１５】
リニューアル後の照明器具２０は、図１から図３に示すように、天井などの設置面Ｃに設置された筐体１２（図１では、図示せず）と、筐体１２を介して設置面Ｃに取付けられた反射板１８と、反射板１８の室外側（図２及び図３中、上側）に取付けられた外側部材３１（図１では、図示せず）と、反射板１８の室内側（図２及び図３中、下側）に取付けられた内側部材３５と、内側部材３５に取付けられたリニューアル用の反射板３８と、を備える。このうち、筐体１２と反射板１８は、リニューアルの基となった既設の照明器具１０の部品であり、外側部材３１と内側部材３５とリニューアル用の反射板３８は、既設の照明器具１０のリニューアルに用いたリニューアルキット３０に含まれている部品である。
【００１６】
筺体１２は、室内側に開口する箱状であり、天井などの設置面Ｃに直に固定されて照明器具２０の外縁を構成する。筐体１２には、蛍光ランプＬに電力を供給する図示しない電力線が配線されている。反射板１８は、室内側に開口する箱状又は蛍光ランプＬの長手方向に対して垂直な方向の両端が室内側に曲げられた板状であり、ボルトなどの取付具１９によって筐体１２に取付けられることにより、間接的に設置面Ｃに取付けられている。
【００１７】
外側部材３１は、反射板１８の室外側に位置し、載置台３２と、駆動回路３４とを有する。載置台３２は、例えば金属や樹脂などによって形成された板状の台であり、駆動回路３４からの図示しない電気配線を押さえる線押さえ３３ａや、取付具４０（例えば、ボルトなど）を取付けるための取付部３３ｂ（例えば、ボルトが螺合する穴）を所定位置に有する。駆動回路３４は、照明ランプＬを点灯させるための回路であり、載置台３２に支持され、設置面Ｃの図示しない電力線に電気的に接続される。駆動回路３４は、実施形態では、照明ランプＬを低エネルギーで駆動できるインバータ式の安定器を用いている。なお、駆動回路３４としては、ラピッドストリーム式など、蛍光ランプＬを駆動するための回路であれば、如何なるものを用いてもよい。
【００１８】
内側部材３５は、反射板１８の室内側に位置し、支持板３７と、支持板３７に支持された一対のソケット３６を有する。支持板３７は、例えば金属や樹脂などによって板状に形成され、取付具４０が通る穴３７ａや、取付具４１（例えば、ボルトなど）を取付けるための図示しない取付部（例えば、ボルトが螺合する穴）を所定位置に有する。ソケット３６は、反射板１８の長手方向の対抗する位置に一つずつ設けられ、一本の直管型の蛍光ランプＬを取付けることができる。ソケット３６は、外側部材３１の駆動回路３４と図示しない電気配線で電気的に接続されている。
【００１９】
外側部材３１と内側部材３５とは、反射板１８を挟んで取付具４０によって互いに連結され、反射板１８に一体に取付けられている。なお、本実施形態では、反射板１８に設けられた既存の穴（後述するソケット１６を通すための穴）を通って、取付具４０は、外側部材３１と内側部材３５とを連結する。
【００２０】
リニューアル用の反射板３８は、内側部材３５の室内側に位置し、例えばアルミニウムなどの材料により形成され、室内側となる表面が、蛍光ランプＬの明かりを効率よく室内に反射させるように加工されている。リニューアル用の反射板３８は、図１乃至図３に示すように、蛍光ランプＬの長手方向に沿って見たときに、中央（ソケット３６に対向する位置）に室内側に凸となる凸部を有し、全体としては室外側に凸となる左右対称な半円状の形状に形成されている。なお、リニューアル用の反射板３８は、ソケット３６に取付けられる蛍光ランプＬの明かりを効率よく室内に反射する形状であれば、その他の形状としてもよい。リニューアル用の反射板３８には、ソケット３６を通すための図示しない挿入穴が開けられており、この挿入穴からソケット３６が室内側に露出するように配置され、取付具４１によって内側部材３５に取付けられている。
【００２１】
一方、リニューアルの基となった既設の照明器具１０は、図４に示すように、天井などの設置面Ｃに直に取付けられた筐体１２に、蛍光灯Ｌを点灯させるための図示しない駆動回路やソケット１６が取付けられ、更に室内側から反射板１８が取付けられて構成されている。反射板１８には、ソケット１６を通すための図示しない挿入穴が開けられている。リニューアルの基となった照明器具１０は、反射板１８の長手方向に対抗する位置に二つずつソケット１６を有し、二本の直管型の蛍光ランプＬを取付けられるように構成されている。このため、反射板１８は、取付けられた二本の蛍光ランプＬの明かりが効率よく室内に反射されるようにその形状が定められている。
【００２２】
既設の照明器具１０をリニューアルするときには、まず、照明器具１０から二本の蛍光ランプＬを取り外し、図５に示すように、筐体１２から反射板１８を取り外して、筐体１２に固定されているソケット１６や図示しない駆動回路を取り外す。このとき、例えば、リニューアル後に再び既設の照明器具１０へと現状復帰させることが望まれる可能性がある場合などには、リニューアルの妨げとならない限り、既設の駆動回路を筐体１２から取り外さなくてもよい。
【００２３】
続いて、図６に示すように、取り外した既存の反射板１８の室外側（図６中、上側）の面に、リニューアルキット３０の外側部材３１を配置し、反射板１８の室内側（図６中、下側）の面にリニューアルキット３０の内側部材３５を配置し、外側部材３１の駆動回路３４と内側部材３５のソケット３６とを電気的に接続すると共に外側部材３１と内側部材３５とを取付具４０で互いに連結させる。このように外側部材３１と内側部材３５とで反射板１８を挟んで互いに連結させることにより、外側部材３１と内側部材３５とが反射板１８に取付けられる。
【００２４】
次に、図７に示すように、外側部材３１と内側部材３５とが取付けられた既存の反射板１８を、再び天井面などの設置面Ｃに取付ける。このとき、まず、外側部材３１における蛍光ランプＬを駆動するための駆動回路３４と、設置面Ｃの図示しない電力線とを電気的に接続し、その後、もともと反射板１８が設置面Ｃに取付けられていたように、取付具１９を用いて反射板１８を設置面Ｃに取付ける。そして、リニューアル用のリニューアルキット３０の反射板３８を、ソケット３６が室内側に露出するように取付具４１を用いて内側部材３５に取付け、内側部材３５のソケット３６に蛍光灯Ｌを差し込むことで、既設の照明器具１０が照明器具２０へとリニューアルされる。
【００２５】
以上説明した本実施形態のリニューアルキット３０を用いてリニューアルした照明器具２０では、既存の反射板１８に外側部材３１と内側部材３５とを取付けて、既存の反射板１８を再び天井などの設置面Ｃに取付けることにより、既存の反射板１８によって外側部材３１や内側部材３５を設置面Ｃに取付けるから、既存の反射板１８の取付具１９を用いて外側部材３１や内側部材３５を設置面Ｃに取付けることができ、既設の照明器具１０の規格に拘らず照明器具のリニューアルをすることができる。また、内側部材３５にリニューアル用の新たな反射板３８を取付けるから、既設の反射板１８の形状などに拘わらず新たな反射板３８に適した数や種類の蛍光ランプＬを取付けることができ、リニューアル後に取付ける蛍光ランプを変更することができる。また、内側部材３５を反射板１８の内側に取付けるから、ソケット３６を通すための穴を反射板１８に新たに設ける必要もない。これにより、例えば、取付ける蛍光ランプの数を減らして省エネルギー化を図ったり、デザイン性を重視するなど、利用者に合わせてリニューアル後に取付ける蛍光ランプを選択することができる。
【００２６】
さらに、本実施形態のリニューアルキット３０を用いてリニューアルした照明器具２０では、駆動回路３４を有する外側部材３１を反射板１８に取付けて、反射板１８を設置面Ｃに取付けるから、天井などの設置面Ｃで駆動回路３４を固定する作業を行う必要がなく、不安定な場所での作業を減らして容易に照明器具をリニューアルすることができる。また、リニューアル後に既設の照明器具１０に戻したい場合にも容易に戻すことができる。
【００２７】
上述したリニューアルキット３０では、外側部材３１と内側部材３５とで既存の反射板１８を挟んで互いに連結させることにより外側部材３１と内側部材３５とを反射板１８に取付けるものとしたが、外側部材３１と内側部材３５とをそれぞれに反射板１８に連結させてもよい。なお、外側部材３１の載置台３２は、駆動回路３４を支持できれば如何なる形状でもよい。また、内側部材３５の支持板３７は、ソケット３６とリニューアル用の反射板３８とを支持できれば如何なる形状でもよい。
【００２８】
上述したリニューアルキット３０では、一本の直管型の蛍光ランプが取付けられるように反射板１８の長手方向の対抗する位置に一つずつ（つまり、一対の）ソケット３６が設けるものとしたが、スペースが許す限り二対以上のソケットを設けてもよい。また、Ｕ字型の蛍光ランプが取付けられるように反射板１８の短手方向に二つのソケットを設けるなど、直管型以外の蛍光ランプを取付け可能にしてもよい。
【００２９】
また、外側部材３１は、図８に示すように、カセットなどの複数（図８の例では４箇所）の取付部１３１ａを有し、リニューアル後に取付ける照明灯の数や出力などのタイプに応じて駆動回路３４が取付部１３１ａに取付けられてもよい。この場合、駆動回路３４は、例えば、照明灯の出力などの種類や駆動対象の照明灯の種類によらず、外形形状及びサイズを共通として、取付部１３１ａに共通に取り付け可能に形成されることが望ましい。なお、取り付け手法は任意である。例えば、載置台３２に予め容器状の収容部や係合部を形成しておき、ここに駆動回路３４を収容したり係合させたりしてもよい。
さらに、内側部材３５は、リニューアル後に取付ける照明灯の数やタイプ毎に複数の形態（図８の例では、リニューアル後に取付ける照明灯の長さ（出力）と数に応じた内側部材３５〜３３５の４種類）が設けられてもよいし、リニューアル用の反射板３８は、リニューアル後に取付ける照明灯やデザイン毎に複数の形態（図８の例では、リニューアル後に取付ける照明灯の長さ（出力）と数に応じた反射板３８〜３３８の４種類）が設けられてもよい。こうすれば、利用者は、リニューアル後に取付ける照明灯に基づいて、内側部材と反射板を選択すると共に駆動回路３４を取付部１３１ａに取付けることで、既設の照明器具を容易にリニューアルすることができる。なお、外側部材３１も同様に複数のサイズが用意されてもよい。
【００３０】
上述の実施形態では、天井などの設置面Ｃに筐体１２を介して箱状の反射板１８が取付けられた照明器具１０をリニューアルする場合について説明したが、本発明を、室外側または室内側に凸となるＶ字状またはＵ字状の面を有し、設置面Ｃに直接固定された反射板を備える照明器具をリニューアルする場合に適用してもよい。また、照明器具にグローブ（カバー）が取付けられている場合に適用してもよい。
【００３１】
上述した実施形態では、リニューアル前後の照明器具１０，２０は、直管型の蛍光ランプＬが取付けられるものとしたが、リニューアル前後の照明器具１０，２０の少なくとも一方は、Ｕ字型や円型の蛍光ランプなど、直管型の蛍光ランプＬ以外の蛍光ランプが取付けられてもよい。また、照明器具１０，２０の少なくとも一方は、ＬＥＤ（Light Emitting Diode）など、蛍光ランプＬ以外の照明灯が取付けられてもよい。なお、リニューアル後の照明器具２０に蛍光ランプＬ以外の照明灯が取付けられる場合、リニューアルキット３０の駆動回路３４やソケット３６は、取付ける照明灯に適したものが用いられればよい。
【００３２】
以上、本発明の実施の形態について説明したが、本発明は上記実施形態に何ら限定されるものではなく、本発明の要旨を逸脱しない範囲内において、様々な変更（構成要素の削除等を含む）をなし得ることはいうまでもない。
【００３３】
なお、上記の実施形態の一部又は全部は、以下の付記のようにも記載され得るが、以下には限られない。
【００３４】
（付記１）設置面に反射板が取付けられている照明器具をリニューアルするための照明器具のリニューアルキットであって、
リニューアル後の照明灯を点灯させるための駆動回路と、
前記駆動回路が載置され、リニューアル対象の照明器具が備える反射板の室外側に取付けられる第１の部材と、
前記リニューアル後の照明灯を取付けるソケットを有し、前記リニューアル対象の照明器具が備える反射板の室内側に取付けられる第２の部材と、
前記ソケットを室内側に露出させて前記第２の部材に取付けられるリニューアル用の反射板と、
を備え、前記リニューアル対象の照明器具が備える反射板によって前記設置面に固定されることを特徴とするリニューアルキット。
【００３５】
（付記２）前記第１の部材と前記第２の部材とは、前記反射板を挟んで互いに連結されることにより前記反射板に取付けられる、
ことを特徴とする付記１に記載のリニューアルキット。
【００３６】
（付記３）前記駆動回路は、インバータ式である、
ことを特徴とする付記１又は２に記載のリニューアルキット。
【００３７】
（付記４）設置面に取付けられた照明器具の既設の反射板と、
リニューアル後の照明灯を点灯させるための駆動回路と、
前記駆動回路が載置され、前記既設の反射板の室外側に取付けられた第１の部材と、
前記照明灯を取付けるソケットを有し、前記既設の反射板の室内側に取付けられた第２の部材と、
前記ソケットを室内側に露出させて前記第２の部材に取付けられた新たな反射板と、
を備えることを特徴とする照明器具。
【００３８】
（付記５）設置面に反射板が取付けられている照明器具をリニューアルする照明器具のリニューアル方法であって、
前記設置面から前記反射板を取り外す工程と、
取り外した前記反射板の室外側に、リニューアル後の照明灯を点灯させるための駆動回路が載置された第１の部材を取付け、前記反射板の室内側に、前記照明灯を取付けるソケットを含む第２の部材を取付ける工程と、
壁面又は天井面に前記反射板を再び取付ける工程と、
前記第２の部材にリニューアル用の反射板を取付ける工程と、
を備えることを特徴とする照明器具のリニューアル方法。
【符号の説明】
【００３９】
１０  （リニューアル前の）照明器具
１２  筐体
１４  駆動回路
１６  ソケット
１８  反射板
１９  取付具
２０  照明器具
３０  リニューアルキット
３１，１３１  外側部材
３２  載置台
３３ａ  線押さえ
３３ｂ  取付部
３４  駆動回路
３５，１３５，２３５，３３５  内側部材
３６  ソケット
３７  支持板
３７ａ  穴
３８，１３８，２３８，３３８  反射板
４０，４１  取付具
１３１ａ  取付部
Ｃ  設置面
Ｌ  蛍光ランプ
【図１】
0005713397.tif 000002
【図２】
0005713397.tif 000003
【図３】
0005713397.tif 000004
【図４】
0005713397.tif 000005
【図５】
0005713397.tif 000006
【図６】
0005713397.tif 000007
【図７】
0005713397.tif 000008
【図８】
0005713397.tif 000009